(57)【要約】【課題】  種々の瓦を葺いた際の漏水性を模擬的に検証し得る瓦の漏水性確認装置の提供。【解決手段】  家屋の屋根面に見立てた葺設面１を備える可動台２と、当該可動台２を揺動自在に支持する基体３と、当該基体３に対する前記可動台２の角度を調整する傾斜調整手段４と、前記可動台２の表面に水を散布する散水手段５とで構成される瓦の漏水性確認装置。【選択図】      図１
0003125281.tif 000002
【実用新案登録請求の範囲】
【請求項１】
家屋の屋根面に見立てた葺設面（１）を備える可動台（２）と、当該可動台（２）を揺動自在に支持する基体（３）と、当該基体（３）に対する前記可動台（２）の角度を調整する傾斜調整手段（４）と、前記可動台（２）の表面に水を散布する散水手段（５）とで構成される瓦の漏水性確認装置。
【請求項２】
前記可動台（２）の葺設面（１）に、複数の瓦桟（６）を当該葺設面（１）の傾斜に沿って移設可能に設けた前記請求項１に記載の瓦の漏水性確認装置。
【請求項３】
前記瓦桟（６）を葺設面（１）の幅方向に分割して設けた前記請求項１又は請求項２のいずれかに記載の瓦の漏水性確認装置。
【請求項４】
前記散水手段（５）は、前記可動台（２）の縁部に支持されたベース（７）を介して前記葺設面（１）の幅方向に散水パイプ（８）を配設してなり、当該散水パイプ（８）は、その長手方向の片側に均一に散水孔が散設され、当該ベース（７）に対して回転可能に支持されている前記請求項１乃至請求項３のいずれかに記載の瓦の漏水性確認装置。
【請求項５】
前記可動台（２）は、その下縁部に揺動する際の軸（９）が設定され、前記可動台（２）の下縁部の下位に雨樋（１０）を沿設した前記請求項１乃至請求項４のいずれかに記載の瓦の漏水性確認装置。
【請求項６】
前記可動台（２）は、方形状の可動枠（１１）に、野地板としての役割を果たす網板を全面に亘って固定し葺設面（１）を形成したものである前記請求項１乃至請求項５のいずれかに記載の瓦の漏水性確認装置。
【考案の詳細な説明】
【技術分野】
【０００１】
本考案は、種々の瓦を葺いた際の漏水性を模擬的に検証する瓦の漏水性確認装置に関する。
【背景技術】
【０００２】
屋根に葺設する瓦には、日本瓦から洋風瓦まで多様な商品が提供されている。個々の商品の漏水性については、各々に適した屋根の態様或いは施工形態があり、葺設条件に応じて異なる結果が生じるのは容易に推測できる。
【考案の開示】
【考案が解決しようとする課題】
【０００３】
しかしながら、上記の如く多種多様な屋根瓦が提供されている折、施工前にそれらの個々について経験則により漏水性を推定することは極めて困難であり、その様な葺設条件によって異なる漏水性を何等検討することなく葺設されれば、対象建築物にとって適性を欠く瓦の選択や施工が行われる事によって葺設後に漏水が生じる可能性は否めない。
【０００４】
加えて、今日、既成の枠を超えたデザイン性の高い建築物が多く建造される状況下において、屋根の形状も多彩となり、漏水の可能性は一層高まる虞がある。
【０００５】
その様な状況の下、当方の調査においては、漏水防止を謳う瓦や施工法は多く見受けられるが、種々の瓦を葺いた際の漏水性を模擬的に検証する瓦の漏水性確認装置に関する文献や、其れを実現した商品は見当たらない状況にある。
【０００６】
本考案は、上記実情に鑑みてなされたものであって、種々の瓦を葺いた際の漏水性を模擬的に検証し得る瓦の漏水性確認装置の提供を目的とする。
【課題を解決するための手段】
【０００７】
上記課題を解決する為に為された本考案による瓦の漏水性確認装置は、家屋の屋根面に見立てた葺設面を備える可動台と、当該可動台を揺動自在に支持する基体と、当該基体に対する前記可動台の角度を調整する傾斜調整手段と、前記可動台の表面に水を散布する散水手段とで構成される。尚、前記可動台は、例えば、Ｌ字鋼を縦横に組んでなる方形状の可動枠に、野地板としての役割を果たす網板を全面に亘って固定し葺設面を形成したものであっても良い。
【０００８】
瓦の形態に応じて適当な間隔で瓦桟の設定を行える様に、その葺設面に、前記可動台の葺設面に、複数の瓦桟を当該葺設面の傾斜に沿って移設可能に設けたり、前記瓦桟を葺設面の幅方向に分割して設けたりしても良い。
【０００９】
前記散水手段は、前記可動台の縁部に支持されたベースを介して前記葺設面の幅方向に散水パイプを配設してなり、当該散水パイプは、その長手方向の片側に均一に散水孔が散設され、当該ベースに対して回転可能に支持されている構成を採っても良い。また、前記可動台の縁部に、前記ベースを稼動板の傾斜方向に移動及び固定し得る側縁ガイドを設けても良い。
【００１０】
また、各瓦の選択及び葺設状況に応じた排水状況の確認をも併せて行うべく、前記可動台を、その下縁部に揺動する際の軸が設定され、前記可動台の下縁部の下位に雨樋を沿設し、或いは雨樋を沿設する為の支持部を設けた構成を採っても良い。
【考案の効果】
【００１１】
本考案による瓦の漏水性確認装置によれば、日本瓦から洋風瓦まで多様な商品の漏水性について、顧客の屋根の態様に適した施工形態及び葺設条件を導くべく、施工前にそれらの個々について実際に葺設し水を吹き付ける実験を以って種々の瓦を種々の態様で葺いた際の漏水性を模擬的に検証し、建築主等の好みに合い且つ漏水性の少ない好適な瓦の選択、並びに最適な施工方法を検討することによって、デザイン性の高い家屋構築を可能としながらも葺設後に生じ得る漏水を効果的に防止することができる。
【考案を実施するための最良の形態】
【００１２】
以下、本考案による瓦の漏水性確認装置の実施の形態を図面に基き説明する。
図１に示す例は、家屋の屋根面に見立てた葺設面１を備える可動台２と、当該可動台２を揺動自在に支持する基体３と、当該基体３に対する前記可動台２の角度を調整する傾斜調整手段４と、前記可動台２の表面に水を散布する散水手段５とで構成される瓦の漏水性確認装置である。
【００１３】
前記可動台２は、Ｌ字鋼を縦横に組んでなる方形状の可動枠１１に、野地板としての役割を果たす平坦な板材、又は、葺かれた瓦を支えるに十分な強度を備えた表裏を透視できる平坦な網板を全面に亘って固定し葺設面１を形成したものである。当該葺設面１には、複数の葺設ガイド１２が埋設され、当該葺設ガイド１２に、複数の瓦桟６が、当該葺設面１の傾斜に沿って移設可能に固定される（例えば、図３及び図４参照）。
【００１４】
前記瓦桟６の固定方法について、図３（Ａ）の例は、葺設面１に面して上向きの開口部を有するＣ形鋼を葺設ガイド１２とし、当該葺設面１の傾斜に沿って埋設し（図３及び図４参照）、当該Ｃ形鋼の内空部へ、中央にネジ孔を有する挟持金具１３を前記開口部の内側縁に係る状態で挿通し、前記瓦桟６の基面に設けた孔に挟持ボルト１４を挿通し、瓦１５を定着したい位置において当該挟持ボルト１４を前記Ｃ形鋼の内空部に存在する挟持金具と螺合し、前記内側縁を前記挟持ボルト１４と挟持金具１３で強く挟むことにより、瓦桟６を位置固定するものである。
【００１５】
図３（Ｂ）の例は、所定の位置にＬ字鋼からなる瓦桟６を設定し、葺設面１を貫通する蝶ボルト３８のネジ部を当該瓦桟６の基面に設けたネジ孔と螺合し固定するものである。この手法は、規則正しい網目を有する前記網板を用いて葺設面１を形成した場合に、その網目を利用して瓦桟６の位置調整をし、固定できる利点がある。
【００１６】
前記瓦桟６は、前記葺設面１の幅方向に適宜分割して設けてもよく（図４参照）、そうすることによって、二以上の種類の瓦の漏水状況を一度に検証することができる。尚、前記可動台２は、施工の手間等を考慮して、縦に６枚から８枚程度の瓦を並べ得る様に瓦桟が配置でき、横に５枚から８枚程度の瓦を並べ得る幅が設けられれば良い。横方向には、縦方向の瓦桟６の様に仕切る部材の装着は無く、種々の瓦を種々の態様（通常に葺く場合や千鳥に葺く場合等がある。）に葺いて検証を行うことができる。
【００１７】
前記散水手段５は、前記可動台２の両側縁部に支持されたベース７を介して前記葺設面１の幅方向に散水パイプ８を配設してなる。当該散水パイプ８は、回転自在なジョイント（図示省略）を介して当該ベース７に対して回転可能に支持され、その長手方向の片側に均一に散水孔が散設されている。前記ベース７の位置と散水孔の向きを変えることにより、瓦の上位又は下位から所望の水勢を持って瓦１５上に水を散布することができる。前記散水パイプ８には、給水管１７が連結され、給水量を調整し得る給水手段（図示省略）から水が適宜供給される（図１参照）。
【００１８】
前記ベース７は、前記可動台２の両側縁（前記可動枠１１の両側縁）を構成するＬ字鋼を側縁ガイド１８として保持するホルダ部１９と、当該Ｌ字鋼の一辺を挟持してその位置に定着させる固定手段２０を備える。当該例の固定手段２０は、例えば、一対の挟持部材２１の間隔をネジ待遇によって広狭させる作用を持つものが良く、ネジを有するボルト２２の基部にハンドル２３を設けて工具を用いることなく移設を行えるものが望ましい（図５参照）。
【００１９】
前記可動台２の下縁部の下位には、瓦上を流れた水を受ける雨樋１０が沿設されている。当該雨樋１０は、伸縮ベース２４を介して可動台２の両側縁を構成するＬ字鋼の内面側の最下位に固定されている。当該伸縮ベース２４は、前記可動台２の下縁から進退可能に、且つ揺動可能に設定されている他、当該伸縮ベース２４と雨樋１０との連結部には、当該雨樋１０を所定の角度で保持できるジョイント２５を介在することにより、前記可動台２の傾斜に応じて前記雨樋１０の開口部が瓦に流される雨水を受け取る向きとなる様に調整できる構造とする。
【００２０】
当該基体３は、左右対称に方形状の側枠２６，２６を相対向して配置し、その間に複数の横枠２７を渡してその両端をボルト止め或いは溶接によって固定したものである。当該例（図１及び図２）における横枠２７は、背面側の上端及び下端、並びに前面側の下端及び中間部に渡されている。前記側枠２６は、上位の横枠２８、及び前面側の縦枠２９の上部以外にはＬ字鋼が用いられ、当該側枠２６における上位の横枠２８は、前記可動台２の軸９が摺動し得る軸承部３０を形成すべくＩ字鋼が用いられ、前面側の縦枠の上部は、前記可動台２の下部が干渉しない様に、Ｌ字鋼の前面側の辺が切欠されている。
【００２１】
前記可動台２は、その下縁部に揺動する際の軸９が設定され、当該軸９を受ける軸承部３０が、上記の如く基体の上部両側縁、即ち、前記側枠２６を構成する上位の横枠２８に形成されている。当該軸承部３０は、当該横枠２８に設けられた長いガイド孔（又はガイド辺或いはガイド面）であり当該可動台２の上位が傾斜調整手段４で引き揚げられ前記可動台２の傾斜が高まるに従って、当該可動台２の軸９が当該軸承部３０に沿って背面側へ移動する。
【００２２】
前記傾斜調整手段４は、図１の如く前記可動台２の上位をワイヤ３１等で昇降させる手法や、図２の如く前記可動台２の上位をジャッキ３２等で昇降させる手法の他、前記可動台２の下位を同様の装置で昇降させる手法のいずれを採っても良い。また、ワイヤ３１の巻上げ等、又はジャッキの昇降を電気モーター等の動力を用いて行う事もできる。
【００２３】
図１の例では、基体３の背面側に支柱３３を立設固定し、当該支柱３３の上位に設定した滑車３４にワイヤ３１をかけて、当該ワイヤ３１の先端を前記可動台２の上位横枠に締結し、当該ワイヤ３１の他端を巻き上げる手法を採っている。尚、ワイヤ３１で支持された可動台２は固定状態が悪いので、前記所定の傾斜で確実に当該可動台２を固定する為に、当該支柱３３に対して前記可動台２を不動状態に連結するストッパー（図示省略）を装着することが望ましい。
【００２４】
一方、図２の例では、菱形の四辺を構成する断面がコ字状の枠材を、各連結部が揺動自在となる様に菱形状に連結して非定形フレーム３５を構築し、当該非定形フレーム３５の対角となる部位の対となる連結部３６に各々設けたネジ孔に長尺のハンドル付きボルト３７を連通螺合し、それらのネジ待遇を以って非定形フレーム３５の対角方向の幅を開閉することによって、当該非定形フレーム３５の上端と下端の距離を増減させる手法を採っている。
【００２５】
前記いずれの傾斜調整手段４を使用した手法にあっても、前記可動枠１１の軸９の位置を固定し（図４参照）、前記傾斜調整手段４が、当該可動台２の傾斜に追従する形態を採っても良い。
【００２６】
上記の如く形成された瓦の漏水性確認装置は、施工業者や顧客等が選択した瓦に応じて瓦桟６の間隔を調整し、施工対象家屋の屋根の傾斜に前記可動台２の傾斜を調整した上で必要量の瓦１５を葺くことができる。その際、施工業者が試みようとする施工手法や、施工部材を適宜試用し、前記散水手段５の位置や向き、或いは水勢を変えて漏水状況や雨樋１０の排水状況の検討を行うことができる。当該例にあっては、前記基体３が枠組構造であることから、前記可動台２の下へ比較的自由に入って漏水状況を見ることができる。そういった観点からは、前記野地板としての役割を果たし前記葺設面を構成する部材としては、多くの網目が全体的に散設された金属製の網板をもちいることが望ましい。
【産業上の利用可能性】
【００２７】
今日、既成の枠を超えたデザイン性の高い建築物が多く建造される状況下において、屋根の形状も多彩となり、漏水の可能性は一層高まる虞がある。
種々の瓦を葺いた際の漏水性を施工者や建築主等の立会いの下、模擬的に検証し得る瓦の漏水性確認装置の存在は、その様な近代家屋について建築主等が望むデザインと施工者及び建築主の双方が望む漏水防止機能とを両立させる手段として顕著な実用効果を奏すると解される。
【図面の簡単な説明】
【００２８】
【図１】本考案による瓦の漏水性確認装置の一例を示す側面図である。
【図２】本考案による瓦の漏水性確認装置の一例を示す側面図である。
【図３】本考案による瓦の漏水性確認装置の瓦の葺設状況の一例を示す側面図である。
【図４】本考案による瓦の漏水性確認装置の一例を示す斜視図である。
【図５】本考案による瓦の漏水性確認装置における散水手段の取り付け状況の一例を示す正面図である。
【符号の説明】
【００２９】
１  葺設面，２  可動台，３  基体，４  傾斜調整手段，５  散水手段，６  瓦桟，
７  ベース，８  散水パイプ，９  軸，１０  雨樋，
１１  可動枠，１２  葺設ガイド，１３  挟持金具，１４  挟持ボルト，１５  瓦，
１７  給水管，１８  側縁ガイド，
１９  ホルダ部，２０  固定手段，２１  挟持部材，２２  ボルト，２３  ハンドル，
２４  伸縮ベース，２５  ジョイント，
２６  側枠，２７  横枠，２８  横枠，２９  縦枠，３０  軸承部
３１  ワイヤ，３２  ジャッキ，３３  支柱，３４  滑車，
３５  非定形フレーム，３６  連結部，３７  ハンドル付きボルト，
３８  蝶ボルト，
【図１】
0003125281.tif 000003
【図２】
0003125281.tif 000004
【図３】
0003125281.tif 000005
【図４】
0003125281.tif 000006
【図５】
0003125281.tif 000007